(57)【要約】  【課題】  特定通信エリアにおいて、本来情報を必要としないユーザの端末への情報配信を行うことなく、特定ユーザにだけ提供したい情報の配信が可能となるシステムを提供する。  【解決手段】  無線アクセスポイント装置１０と、サービス装置４０と、ユーザ情報データベース５０とを有し、前記サービス装置４０は、サービス情報と配信対象エリア情報と配信対象者属性情報とを記憶する記憶手段と、ユーザ端末が前記無線アクセスポイント装置との無線通信によりローカルネットワークに接続された際に前記無線アクセスポイント装置から通信エリア情報及び端末識別情報を受信する手段とを有し、前記受信した通信エリア情報と前記配信対象エリア情報とが合致し、かつ前記受信した端末識別情報に対応して前記ユーザ情報データベースに記憶されたユーザの属性情報と前記配信対象者属性情報とが合致するときに、サービス情報を前記ユーザ端末に配信するようにした。【選択図】  図２
2005258869.tif 000002
【特許請求の範囲】
【請求項１】
所定の通信エリア内のユーザ端末と無線通信を行って前記ユーザ端末をローカルネットワークに接続する無線アクセスポイント装置と、前記無線通信アクセスポイント装置と前記ローカルネットワークを介して接続されるサービス装置と、ユーザの属性情報と前記ユーザのユーザ端末を特定する端末識別情報とを対応付けて記憶するユーザ情報データベースとを有するローカルサービス提供システムであって、
前記サービス装置は、
配信すべきサービス情報と、前記サービス情報を配信すべき通信エリアを特定する配信対象エリア情報と、前記サービス情報を配信すべきユーザを特定する配信対象者属性情報とを記憶する記憶手段と、
前記通信エリアに進入したユーザ端末が前記無線アクセスポイント装置との無線通信により前記ローカルネットワークに接続された際に、前記無線アクセスポイント装置から前記通信エリアを特定する通信エリア情報及び前記ユーザ端末を特定する端末識別情報を受信する手段と、
前記受信した通信エリア情報と前記記憶手段に記憶された配信対象エリア情報とが合致するか否かを判定する第一の判定手段と、
前記受信した端末識別情報に対応して前記ユーザ情報データベースに記憶されたユーザの属性情報と前記記憶手段に記憶された配信対象者属性情報とが合致するか否かを判定する第二の判定手段と、
前記第一の判定手段にて前記通信エリア情報と前記配信対象エリア情報とが合致するとの判定がなされ、かつ、前記第二の判定手段にて前記ユーザの属性情報と前記配信対象者属性情報とが合致するとの判定されたときに、前記記憶手段に記憶されたサービス情報を前記通信エリアに進入したユーザ端末に前記ローカルネットワーク及び無線アクセスポイント装置を介して配信する情報配信手段とを有することを特徴とするローカルサービス提供システム。
【請求項２】
前記サービス装置は、外部ユニットからサービス依頼情報として提供される前記配信すべきサービス情報、前記配信対象エリア情報及び前記配信対象者属性情報を前記記憶手段に記憶させるサービス依頼情報登録手段を有することを特徴とする請求項１記載のローカルサービス提供システム。
【請求項３】
前記配信すべきサービス情報はアンケート情報であり、前記アンケート情報を前記通信エリアに進入した前記ユーザ端末に配信するようにしたことを特徴とする請求項１または２記載のローカルサービス提供システム。
【請求項４】
前記サービス装置は、前記ローカルネットワークを介して受信される前記アンケート情報に対するアンケート回答情報を集計するアンケート集計手段を有することを特徴とする請求項３記載のローカルサービス提供システム。
【請求項５】
前記記憶手段に記憶される配信対象者属性情報は、特定のソフトウエアを購入したユーザの属性情報を含み、
前記配信すべきサービス情報は、前記ソフトウエアの使用に際して付加的に使用可能な付加情報であることを特徴とする請求項１または２記載のローカルサービス提供システム。
【請求項６】
所定の通信エリア内のユーザ端末と無線通信を行って前記ユーザ端末をローカルネットワークに接続する無線アクセスポイント装置と前記ローカルネットワークを介して接続されるサービス装置であって、
配信すべきサービス情報と、前記サービス情報を配信すべき通信エリアを特定する配信対象エリア情報と、前記サービス情報を配信すべきユーザを特定する配信対象者属性情報とを記憶する記憶手段と、
前記通信エリアに進入したユーザ端末が前記無線アクセスポイント装置との無線通信により前記ローカルネットワークに接続された際に、前記無線アクセスポイント装置から前記通信エリアを特定する通信エリア情報及び前記ユーザ端末を特定する端末識別情報を受信する手段と、
前記受信した通信エリア情報と前記記憶手段に記憶された配信対象エリア情報とが合致するか否かを判定する第一の判定手段と、
ユーザの属性情報と前記ユーザのユーザ端末を特定する端末識別情報とを対応付けて記憶するユーザ情報データベースに前記受信した端末識別情報に対応して記憶されたユーザの属性情報と前記記憶手段に記憶された配信対象者属性情報とが合致するか否かを判定する第二の判定手段と、
前記第一の判定手段にて前記通信エリア情報と前記配信対象エリア情報とが合致するとの判定がなされ、かつ、前記第二の判定手段にて前記ユーザの属性情報と前記配信対象者属性情報とが合致するとの判定されたときに、前記記憶手段に記憶されたサービス情報を前記通信エリアに進入したユーザ端末に前記ローカルネットワーク及び無線アクセスポイント装置を介して配信する情報配信手段とを有することを特徴とするサービス装置。
【請求項７】
外部ユニットからサービス依頼情報として提供される前記配信すべきサービス情報、前記配信対象エリア情報及び前記配信対象者属性情報を前記記憶手段に記憶させるサービス依頼情報登録手段を有することを特徴とする請求項６記載のサービス装置。
【請求項８】
所定の通信エリア内のユーザ端末と無線通信を行って前記ユーザ端末をローカルネットワークに接続する無線アクセスポイント装置と前記ローカルネットワークを介して接続され、配信すべきサービス情報、前記サービス情報を配信すべき通信エリアを特定する配信対象エリア情報及び前記サービス情報を配信すべきユーザを特定する配信対象者属性情報とを記憶する記憶手段を有するサービス装置におけるサービス提供処理方法であって、
前記通信エリアに進入したユーザ端末が前記無線アクセスポイント装置との無線通信により前記ローカルネットワークに接続された際に、前記無線アクセスポイント装置から前記通信エリアを特定する通信エリア情報及び前記ユーザ端末を特定する端末識別情報を受信するステップと、
前記受信した通信エリア情報と前記記憶手段に記憶された前記配信対象エリア情報とが合致するか否かを判定する第一の判定ステップと、
ユーザの属性情報と前記ユーザのユーザ端末を特定する端末識別情報とを対応付けて記憶するユーザ情報データベースに前記受信した端末識別情報に対応して記憶されたユーザの属性情報と前記記憶手段に記憶された配信対象者属性情報とが合致するか否かを判定する第二の判定ステップと、
前記第一の判定ステップにて前記通信エリア情報と前記配信対象エリア情報とが合致するとの判定がなされ、かつ、前記第二の判定ステップにて前記ユーザの属性情報と前記配信対象者属性情報とが合致するとの判定されたときに、前記記憶手段に記憶されたサービス情報を前記通信エリアに進入したユーザ端末に前記ローカルネットワーク及び無線アクセスポイント装置を介して配信する情報配信ステップとを有することを特徴とするサービス提供処理方法。
【請求項９】
外部ユニットからサービス依頼情報として提供される前記配信すべきサービス情報、前記配信対象エリア情報及び前記配信対象者属性情報を前記記憶手段に記憶させるサービス依頼情報登録ステップを有することを特徴とする請求項８記載のサービス提供処理方法。
【発明の詳細な説明】
【技術分野】
【０００１】
本発明は、無線ＬＡＮ等のようなローカルネットワークに接続された無線アクセスポイント装置の通信エリアに進入したユーザ端末に対してサービス情報を配信するようにしたローカルサービス提供システム、そのシステムにて用いられるサービス装置及びその装置でのサービス提供処理方法に関する。
【背景技術】
【０００２】
従来、ローカルな無線通信エリアに進入した携帯端末に対してサービス情報を配信するようにしたシステムが提案されている（例えば、特許文献１参照）。この従来のシステムでは、無線通信エリア内の携帯端末と近距離無線通信を行うサーバが、前記無線通信エリア内への携帯端末の進入を検出すると、その無線通信エリア内に存在する店舗に関する広告情報を前記携帯端末にプッシュ配信している。そして、携帯端末では、配信された広告情報が順次蓄積され、ユーザによる操作に従ってその蓄積された広告情報が表示される。これにより、無線通信エリア内のユーザは、その無線通信エリア内の店舗に関する広告情報を取得することができ、効率的なショッピングが可能となる。また、各店舗は、その店舗の近くにいる者（ユーザ）に対して広告情報を配布することがで、効率的な宣伝が可能となる。
【特許文献１】特開２００３−２８８２８９号公報
【発明の開示】
【発明が解決しようとする課題】
【０００３】
しかし、前述したような従来のシステムでは、無線通信エリアに進入する全ての携帯端末に対してその無線通信エリア固有の情報（無線通信エリア内の店舗の広告情報）が配信される。すなわち、本来情報を提供したいユーザの携帯端末と本来情報を提供する必要のないユーザの携帯端末とに対して区別無くその情報の配信がなされる。そのため、例えば、繁華街の無線通信エリアでは、通信トラフィックが増大して、本来情報を提供したいユーザの携帯端末に対する円滑な情報配信が妨げられてしまうおそれがある。
【０００４】
また、従来のシステムでは、前述したように情報がユーザの区別無く配信されてしまうので、特定のユーザにだけに提供したい情報を配信することができない。
【０００５】
本発明は、前記従来のシステムの問題を解決するためになされたものであり、特定の通信エリアにおいて、本来情報を提供する必要のないユーザの端末への情報配信を行うことのない、また、特定のユーザにだけ提供したい情報の配信が可能となるローカルサービス提供システムを提供するものである。
【課題を解決するための手段】
【０００６】
本発明に係るローカルサービス提供システムは、所定の通信エリア内のユーザ端末と無線通信を行って前記ユーザ端末をローカルネットワークに接続する無線アクセスポイント装置と、前記無線通信アクセスポイント装置と前記ローカルネットワークを介して接続されるサービス装置と、ユーザの属性情報と前記ユーザのユーザ端末を特定する端末識別情報とを対応付けて記憶するユーザ情報データベースとを有するローカルサービス提供システムであって、前記サービス装置は、配信すべきサービス情報と、前記サービス情報を配信すべき通信エリアを特定する配信対象エリア情報と、前記サービス情報を配信すべきユーザを特定する配信対象者属性情報とを記憶する記憶手段と、前記通信エリアに進入したユーザ端末が前記無線アクセスポイント装置との無線通信により前記ローカルネットワークに接続された際に、前記無線アクセスポイント装置から前記通信エリアを特定する通信エリア情報及び前記ユーザ端末を特定する端末識別情報を受信する手段と、前記受信した通信エリア情報と前記記憶手段に記憶された配信対象エリア情報とが合致するか否かを判定する第一の判定手段と、前記受信した端末識別情報に対応して前記ユーザ情報データベースに記憶されたユーザの属性情報と前記記憶手段に記憶された配信対象者属性情報とが合致するか否かを判定する第二の判定手段と、前記第一の判定手段にて前記通信エリア情報と前記配信対象エリア情報とが合致するとの判定がなされ、かつ、前記第二の判定手段にて前記ユーザの属性情報と前記配信対象者属性情報とが合致するとの判定されたときに、前記記憶手段に記憶されたサービス情報を前記通信エリアに進入したユーザ端末に前記ローカルネットワーク及び無線アクセスポイント装置を介して配信する情報配信手段とを有する構成となる。
【０００７】
このような構成により、ユーザ端末が進入した通信エリアを特定する通信エリア情報と予め記憶手段に記憶された配信対象エリア情報とが合致し、かつ、前記ユーザ端末の端末識別情報に対応するものとしてユーザ情報データベースに記憶されたユーザの属性情報と予め記憶手段に記憶された配信対象者属性情報とが合致したときに、サービス装置から前記通信エリアに進入した前記ユーザ端末に対して予め記憶手段に記憶されたサービス情報が配信される。これにより、前記サービス情報は、配信対象エリア情報にて特定される通信エリアに進入した配信対象者属性情報にて特定されるユーザのユーザ端末に対して配信されることとなる。
【０００８】
前記ユーザ情報データベースは、サービス装置に直接接続されるものであっても、ネットワークを介して接続されるものであってもよい。
【０００９】
また、本発明に係るローカルサービス提供システムは、前記サービス装置が、外部ユニットからサービス依頼情報として提供される前記配信すべきサービス情報、前記配信対象エリア情報及び前記配信対象者属性情報を前記記憶手段に記憶させるサービス依頼情報登録手段を有する構成とすることができる。
【００１０】
このような構成により、配信すべきサービス情報、そのサービス情報を配信すべき通信エリア及びそのサービス情報を配信すべきユーザを外部ユニットから登録することができるようになる。
【００１１】
前記外部ユニットは、所定の通信ネットワークを介して前記サービス装置に接続されたものであっても、前記サービス装置に接続された操作ユニットであってもよい。後者の場合、オペレータによる操作ユニットの操作に応じて前記サービス情報、配信対象エリア情報及び配信対象者属性情報がサービス依頼情報として前記サービス装置に提供されることとなる。
【００１２】
本発明に係るローカルサービス提供システムは、前記配信すべきサービス情報はアンケート情報であり、前記アンケート情報を前記通信エリアに進入した前記ユーザ端末に配信するように構成することができる。
【００１３】
このような構成により、配信対象エリア情報にて特定される通信エリアに進入した配信対象者属性情報にて特定される限られたユーザのユーザ端末に対してアンケート情報を配信することができるようになる。
【００１４】
また、本発明に係るローカルサービス提供システムは、前記サービス装置が、前記ローカルネットワークを介して受信される前記アンケート情報に対するアンケート回答情報を集計するアンケート集計手段を有する構成とすることができる。
【００１５】
このような構成により、配信対象エリア情報にて特定される通信エリアに進入した配信対象者属性情報にて特定される限られたユーザからのアンケート回答情報の集計がなされるようになる。
【００１６】
更に、本発明に係るローカルサービス提供システムは、前記記憶手段に記憶される配信対象者属性情報は、特定のソフトウエアを購入したユーザの属性情報を含み、前記配信すべきサービス情報は、前記ソフトウエアの使用に際して付加的に使用可能な付加情報である構成とすることができる。
【００１７】
このような構成により、配信対象エリア情報にて特定される通信エリアに特定のソフトウエアを購入したユーザのユーザ端末が進入した際に、そのユーザ端末に対して前記ソフトウエアの使用に際して付加的に使用可能な付加情報を配信することができる。このような付加情報を受信したユーザ端末では、購入したソフトウエアと共に付加情報を利用することができるようになる。
【００１８】
前記付加情報は、前記ソフトウエアの利用に際して付加的に利用することのできるものであれば特に限定されず、例えば、追加的なプログラム等のソフトウエアであっても、購入されたソフトウエアがゲームプログラムである場合には、そのゲームソフトウエアの利用に際して付加的に利用され得るキャラクターに関する情報であってもよい。
【００１９】
本発明に係るサービス装置は、所定の通信エリア内のユーザ端末と無線通信を行って前記ユーザ端末をローカルネットワークに接続する無線アクセスポイント装置と前記ローカルネットワークを介して接続されるサービス装置であって、配信すべきサービス情報と、前記サービス情報を配信すべき通信エリアを特定する配信対象エリア情報と、前記サービス情報を配信すべきユーザを特定する配信対象者属性情報とを記憶する記憶手段と、前記通信エリアに進入したユーザ端末が前記無線アクセスポイント装置との無線通信により前記ローカルネットワークに接続された際に、前記無線アクセスポイント装置から前記通信エリアを特定する通信エリア情報及び前記ユーザ端末を特定する端末識別情報を受信する手段と、前記受信した通信エリア情報と前記記憶手段に記憶された配信対象エリア情報とが合致するか否かを判定する第一の判定手段と、ユーザの属性情報と前記ユーザのユーザ端末を特定する端末識別情報とを対応付けて記憶するユーザ情報データベースに前記受信した端末識別情報に対応して記憶されたユーザの属性情報と前記記憶手段に記憶された配信対象者属性情報とが合致するか否かを判定する第二の判定手段と、前記第一の判定手段にて前記通信エリア情報と前記配信対象エリア情報とが合致するとの判定がなされ、かつ、前記第二の判定手段にて前記ユーザの属性情報と前記配信対象者属性情報とが合致するとの判定されたときに、前記記憶手段に記憶されたサービス情報を前記通信エリアに進入したユーザ端末に前記ローカルネットワーク及び無線アクセスポイント装置を介して配信する情報配信手段とを有する構成となる。
【００２０】
このような構成により、ユーザ端末が進入した通信エリアを特定する通信エリア情報と予め記憶手段に記憶された配信対象エリア情報とが合致し、かつ、前記ユーザ端末の端末識別情報に対応するものとしてユーザ情報データベースに記憶されたユーザの属性情報と予め記憶手段に記憶された配信対象者属性情報とが合致したときに、前記通信エリアに進入した前記ユーザ端末に対して予め記憶手段に記憶されたサービス情報が配信される。
【００２１】
また、本発明に係るサービス装置は、外部ユニットからサービス依頼情報として提供される前記配信すべきサービス情報、前記配信エリア情報及び前記配信対象者属性情報を前記記憶手段に記憶させるサービス依頼情報登録手段を有する構成とすることができる。
【００２２】
このような構成により、配信すべきサービス情報、そのサービス情報を配信すべき通信エリア及びそのサービス情報を配信すべきユーザを外部ユニットから登録することができるようになる。
【００２３】
本発明に係るサービス提供処理方法は、所定の通信エリア内のユーザ端末と無線通信を行って前記ユーザ端末をローカルネットワークに接続する無線アクセスポイント装置と前記ローカルネットワークを介して接続され、配信すべきサービス情報、前記サービス情報を配信すべき通信エリアを特定する配信対象エリア情報及び前記サービス情報を配信すべきユーザを特定する配信対象者属性情報とを記憶する記憶手段を有するサービス装置におけるサービス提供処理方法であって、前記通信エリアに進入したユーザ端末が前記無線アクセスポイント装置との無線通信により前記ローカルネットワークに接続された際に、前記無線アクセスポイント装置から前記通信エリアを特定する通信エリア情報及び前記ユーザ端末を特定する端末識別情報を受信するステップと、前記受信した通信エリア情報と前記記憶手段に記憶された前記配信対象エリア情報とが合致するか否かを判定する第一の判定ステップと、ユーザの属性情報と前記ユーザのユーザ端末を特定する端末識別情報とを対応付けて記憶するユーザ情報データベースに前記受信した端末識別情報に対応して記憶されたユーザの属性情報と前記記憶手段に記憶された配信対象者属性情報とが合致するか否かを判定する第二の判定ステップと、前記第一の判定ステップにて前記通信エリア情報と前記配信対象エリア情報とが合致するとの判定がなされ、かつ、前記第二の判定ステップにて前記ユーザの属性情報と前記配信対象者属性情報とが合致するとの判定されたときに、前記記憶手段に記憶されたサービス情報を前記通信エリアに進入したユーザ端末に前記ローカルネットワーク及び無線アクセスポイント装置を介して配信する情報配信ステップとを有する構成となる。
【００２４】
このような構成により、ユーザ端末が進入した通信エリアを特定する通信エリア情報と予め記憶手段に記憶された配信対象エリア情報とが合致し、かつ、前記ユーザ端末の端末識別情報に対応するものとしてユーザ情報データベースに記憶されたユーザの属性情報と予め記憶手段に記憶された配信対象者属性情報とが合致したときに、前記通信エリアに進入した前記ユーザ端末に対して予め記憶手段に記憶されたサービス情報が配信される。
また、本発明に係るサービス提供処理方法は、外部ユニットからサービス依頼情報として提供される前記配信すべきサービス情報、前記配信エリア情報及び前記配信対象者属性情報を前記記憶手段に記憶させるサービス依頼情報登録ステップを有する構成とすることができる。
【００２５】
このような構成により、配信すべきサービス情報、そのサービス情報を配信すべき通信エリア及びそのサービス情報を配信すべきユーザを外部ユニットから登録することができるようになる。
【発明の効果】
【００２６】
本発明に係るローカルサービス提供システムによれば、サービス情報が、配信対象エリア情報にて特定される通信エリアに進入した配信対象者属性情報にて特定されるユーザのユーザ端末に対して配信されるようになるので、前記配信対象者属性情報により本来情報を必要とするユーザを特定することにより、また、前記配信対象者属性情報により情報を提供したいユーザを特定することにより、前記配信対象エリア情報にて特定される通信エリアにおいて、本来情報を提供する必要のないユーザの端末への情報配信を行うことのない、また、特定のユーザにだけ提供したい情報の配信が可能となるローカルサービス提供システムを実現することが可能となる。
【発明を実施するための最良の形態】
【００２７】
以下、本発明の実施の形態について、図面を用いて説明する。
【００２８】
本発明の実施の一形態に係るローカルサービス提供システムは、図１に示すように構成される。
【００２９】
図１において、無線ＬＡＮ網２０における無線アクセスポイント装置１０はその通信エリアＥに存在するユーザ携帯端末３０と無線通信を行なってユーザ携帯端末３０を無線ＬＡＮ２０に接続する。サービス提供業者のセンタにはサービスサーバ４０が設置され、サービスサーバ４０はサービスシステムネットワーク２２及び無線ＬＡＮ網２０を介して無線アクセスポイント装置１０に接続される。ユーザ管理サーバ５０はサービスシステムネットワーク２２に接続されると共にサービスサーバ４０に接続され、また、所定の通信ネットワーク２５（例えば、インターネット）に接続される。ユーザ管理サーバ５０は、サービスサーバ４０と共にサービス提供業者のセンタに設置されるものであっても、他の施設に設置されるものであってもよい。
【００３０】
サービスサーバ４０は、更に通信ネットワーク２５に接続され、通信ネットワーク２５に接続されたサービス依頼システム６０と通信可能となっている。サービス依頼システム６０は、情報配信サービスを依頼する者の施設に設置されている。
【００３１】
前述したようなシステムにおいて、例えば、図２に示す手順に従って処理が行なわれる。なお、図２は、アンケートの配信サービスに係る処理手順を示している。
【００３２】
ユーザがアンケートの配信を受けることを了承する場合、ユーザ携帯端末３０において所定操作を行なうと、例えば、図３に示すようなユーザ情報入力画面がユーザ携帯端末３０の表示ユニットに表示される。この状態において、ユーザは、各項目（氏名、年齢、性別、趣味、興味１、興味２）に対する入力操作を行なうとともにパスワードの入力操作を行なう。その後、ユーザ情報登録に係る所定の操作がなされると、ユーザ携帯端末３０は、前記各項目についての入力情報、パスワード及びユーザ携帯端末３０に予め保存されている端末番号（例えば、ＭＡＣアドレス）をユーザ情報として無線アクセスポイント１０、無線ＬＡＮ２０及びサービスシステムネットワーク２２を介してユーザ管理サーバ５０に送信する。
【００３３】
前記ユーザ情報を受信したユーザ管理サーバ５０は、図４に示す手順に従ってユーザ登録処理を行なう。
【００３４】
即ち、ユーザ管理サーバ５０は、前記ユーザ情報を受信すると（Ｓ１）、そのユーザ情報に含まれる端末番号と同じ端末番号のユーザ情報が既にデータベースに登録されているか否か（新規登録であるか否か）を判定する（Ｓ２）。新規登録であるとの判定がなされると（Ｓ２にてＹＥＳ）、ユーザ管理サーバ５０は、前記受信したユーザ情報をデータベースに登録する（Ｓ３）。一方、前記端末番号に対応したユーザ情報が既に登録されているとの判定がなされると（Ｓ２でＮＯ）、ユーザ管理サーバ５０は、前記ユーザ情報に含まれるパスワードと既に登録されているユーザ情報に含まれるパスワードとが一致するか否かを判定し（Ｓ４）、それらが一致する場合（Ｓ４でＹＥＳ）、受信した前記ユーザ情報に基づいて登録ユーザ情報を更新する（Ｓ５）。なお、前記両パスワードが一致しない場合（Ｓ４でＮＯ）、ユーザ管理サーバ５０は、登録依頼元となるユーザ携帯端末３０に対してエラー報告を返す（Ｓ６）。
【００３５】
このような処理により、ユーザ管理サーバ５０のデータベースには、図５に示すように、ユーザの属性情報となる各項目（氏名、年齢、性別、趣味、興味１、興味２）の情報と、端末番号（例えば、ＭＡＣアドレス）と、パスワードとがそれぞれ対応付けられた状態で保存される。
【００３６】
なお、ユーザ管理サーバ５０は、他の端末（ＰＣ端末）から所定のネットワークを介して受信したユーザ情報をデータベースに登録することも、また、ユーザから書面（郵便）、電話、ファックス等により通知される情報を入力操作ユニットから入力してデータベースに登録する（オフライン登録）することもできる。
【００３７】
図２に戻って、情報提供サービスを依頼する者の操作に基づいてサービス依頼システム６０から例えば図６に示すようなサービス依頼情報が通信ネットワーク２５を介してサービスサーバ４０に送信される。図６に示すサービス依頼情報は、アンケートサービスの依頼に係るもので、アンケート対象者（２０代の男性）、アンケート対象エリア（北海道地域）、アンケート配信期間（2004.M1.D1〜2004.M1.D2）、及びアンケート内容を含む。
【００３８】
このようなサービス依頼情報を受信したサービスサーバ４０は、図７に示す手順に従って、サービス依頼情報の登録処理を行なう。
【００３９】
図７において、サービスサーバ４０は、サービス依頼情報を受信すると（Ｓ１１）、受信したサービス依頼情報からサービス対象者（アンケート対象者）及びサービス対象エリア（アンケート対象エリア）を取得する（Ｓ１２、Ｓ１３）。サービスサーバ４０は、各エリア（地図上のエリア）とサービスシステムネットワーク２２がカバーする無線ＬＡＮの通信エリア（無線アクセスポイント）との対応関係を示すエリアデータベースを有しており、そのエリアデータベースを参照して、前記取得したサービス対象エリアに対応する通信エリアを特定する（Ｓ１４）。更に、サービスサーバ４０は、前記サービス依頼情報からサービス内容（アンケート内容）及びサービス期間（アンケート配信期間）を取得し（Ｓ１５）、取得した各情報に基づいてサービス依頼の登録処理を行なう（Ｓ１６）。
【００４０】
その登録処理の結果、図８に示すように、サービス名（アンケート）、アンケートの配信対象者を表す配信対象者属性情報（２０代の男性）、アンケートの配信エリアを表す配信対象エリア情報（通信エリアＥnn〜Ｅmm、Ｅxx〜Ｅyy）、アンケートの配信期間（2004.M1.D1〜2004.M1.D2）、及びアンケート内容がサービスＩＤ（＝ABC125）で特定されるサービス依頼情報としてサービスサーバ４０のサービスデータベースに登録される。
【００４１】
前述したようなユーザ情報登録（図３乃至図５参照）及びサービス依頼登録（図６乃至図８参照）が既になされた状態において、ユーザ携帯端末３０が無線アクセスポイント装置１０の通信エリアＥに進入すると、図２に示すように、無線アクセスポイント装置１０はユーザ携帯端末３０と所定の手順に従った無線通信を行なって、ユーザ携帯端末３０を無線ＬＡＮ網２０に接続させる。なお、この際、ユーザ携帯端末３０の認証（端末番号に基づく）、ユーザ携帯端末３０に対するＩＰアドレスの付与等の処理がなされる。ユーザ携帯端末３０が無線ＬＡＮ網２０に接続されると、無線アクセスポイント装置１０は、通信エリアＥに進入したユーザ携帯端末３０の端末番号（進入者情報）と当該通信エリアＥ（無線アクセスポイント）を特定する通信エリア情報をサービスサーバ４０に無線ＬＡＮ網２０及びサービスシステムネットワーク２２を介して送信する（進入者通知）。
【００４２】
なお、無線アクセスポイント装置１０の機能は、複数のＰＣ等の装置にて分担することができる。例えば、無線通信を提供する無線アクセスポイントと、ＩＰアドレスの配布、ユーザ接続認証、及びサービス装置４０へのユーザ進入通知を行なう一台または複数のＰＣユニットとを設けることができる。
【００４３】
サービスサーバ４０は、前記通信エリア情報及び端末番号（進入者通知）を受信すると、当該通信エリアを配信対象エリアとしたサービス依頼情報（図８参照）が登録されているか否かを判定し（エリア内配信情報検索処理）、そのようなサービス依頼情報が登録されている場合、ユーザ管理サーバ５０と通信を行なって進入したユーザ携帯端末３０の端末番号に対応したユーザ情報を取得し、更に、そのユーザ情報に基づいて当該ユーザが配信対象者であるか否かの判定（配信対象者判定処理）を行なう。この一連の処理は、図９に示す手順に従ってなされる。
【００４４】
図９において、サービスサーバ４０は、無線アクセスポイント装置１０から進入者通知があるか否かを常時判定しており（Ｓ２１）、進入者通知があったとの判定がなされると（Ｓ２１でＹＥＳ）、その進入者通知に含まれる通信エリア情報及び端末番号を取得する（Ｓ２２）。そして、サービスサーバ４０は、前記取得した通信エリア情報と合致する配信対象エリア情報を含むサービス依頼情報がサービスデータベースに登録されているか否かを判定する（Ｓ２３）。例えば、ユーザ携帯端末３０が北海道地域の通信エリアＥnnに進入した場合、その通信エリアＥnnと合致する配信対象エリア情報を含む図８に示すようなサービス依頼情報（サービスＩＤ＝ABC125）がサービスデータベースに登録されており、サービスサーバ４０は、前記通信エリア情報Ｅnnに合致する配信対象エリア情報Ｅnnを含むサービス依頼情報（サービスＩＤ＝ABC125）がサービスデータベースに登録されているとの判定を行なう（Ｓ２３でＹＥＳ）。この場合、サービスサーバ４０は、更に、前記登録サービス依頼情報に含まれる配信期間情報に基づいて現時点が配信期間内であるか否かを判定する（Ｓ２４）。
【００４５】
現時点が配信期間内であるとの判定がなされると（Ｓ２４でＹＥＳ）、サービスサーバ４０は、前記取得した端末番号と共に該端末番号（進入者情報）に対応したユーザ情報（ユーザ属性情報）の検索依頼をユーザ管理サーバ５０に送信する（Ｓ２５）。ユーザ管理サーバ５０は、ユーザ情報データベースから受信した端末番号に対応した登録ユーザ情報（図５参照）の検索処理を行い、該当する登録ユーザ情報があれば、端末番号と共に対応するユーザ属性情報をサービスサーバ４０に送信する。
【００４６】
サービスサーバ４０は、前記端末番号に対応したユーザ属性情報を受信すると（Ｓ２６）、そのユーザ属性情報が、前記登録サービス依頼情報に含まれる配信対象者属性情報に合致するか否かを判定する（Ｓ２７）。例えば、前記北海道地域の通信エリアＥnnに進入したユーザ携帯端末３０の端末番号に対応して登録されているユーザ属性情報が図５に示すように「２５歳の男性」を含む場合、そのユーザ属性情報が図８に示す登録サービス依頼情報に含まれる配信対象者属性情報「２０代の男性」に合致するとの判定がなされる（Ｓ２７でＹＥＳ）。すると、サービスサーバ４０は、前記登録サービス依頼情報（図８参照）に含まれる配信情報、即ち、アンケート内容の情報を前記端末番号のユーザ携帯端末３０にサービスシステムネットワーク２２、無線ＬＡＮ２０及び無線アクセスポイント１０を介して送信する（Ｓ２８）。
【００４７】
なお、前述した処理の過程で、前記取得した通信エリア情報と合致する配信対象エリア情報を含むサービス依頼情報がサービスデータベースに登録されていない場合（Ｓ２３でＮＯ）、そのようなサービス依頼情報がサービスデータベースに登録されている場合であっても現時点が配信期間内ではないとの判定がされた場合（Ｓ２４でＮＯ）、また、前記端末番号に対応したユーザ属性情報が、前記登録サービス依頼情報に含まれる配信対象者属性情報に合致しないとの判定がなされた場合（Ｓ２７でＮＯ）には、サービスサーバ４０は、サービス情報（アンケート情報）の配信を行うことなく、無線アクセスポイント装置１０から進入者通知があるか否かの判定処理（Ｓ２１）を行う状態となる。
【００４８】
図２に戻って、無線アクセスポイント１０の通信エリアＥに進入したユーザ携帯端末３０は、サービスサーバ４０からの配信情報（アンケート内容の情報）を受信すると、その内容を表示ユニットに表示する。そして、ユーザが所定の操作を行なってそのアンケートに対する回答を入力し、アンケート送信操作を行なうと、そのアンケートの回答情報がユーザ端末装置３０から無線アクセスポイント装置１０、サービスシステムネットワーク２２を介してサービスサーバ４０に送信される。
【００４９】
サービスサーバ４０は、登録サービス依頼情報（図８参照）に基づいて配信対象エリア情報にて特定される通信エリアにおける配信対象者属性情報に合致するユーザ属性情報の登録のなされた全てのユーザ携帯端末に対して前述したのと同様の手順に従って登録されたサービス情報（アンケート情報）を配信する。そして、サービスサーバ４０は、そのアンケート情報を受信した各ユーザ携帯端末から送信されるアンケートの回答情報を集計し、その集計結果をアンケート結果として情報配信サービスの依頼元のサービス依頼システム６０に通信ネットワーク２５を介して送信する。これにより、情報配信サービスの依頼元は、アンケート結果を取得することができる。サービスサーバ４０は、アンケート結果の送信後、ユーザ管理サーバ５０の登録ユーザ情報に基づいてアンケートの回答を送信したユーザ携帯端末３０のユーザに対してポイント付与等の特典付与処理を行う。
【００５０】
なお、前述したようなアンケート情報の配信サービスを行うサービスサーバ４０は、そのサービス期間中、所定のタイミングで、前記アンケート集計の中間報告をサービス依頼システム６０に送信することもできる。
【００５１】
前述したようなシステムによれば、サービス情報（アンケート情報）が、配信対象エリア情報にて特定される通信エリアに進入した配信対象者属性情報と合致するユーザ属性情報の登録のなされたユーザ携帯端末に限って配信されるので、前記配信対象エリア情報にて特定される通信エリアにおいて、本来サービス情報（アンケート情報）を提供する必要のないユーザの携帯端末への当該サービス情報の配信を行うことなく、そのサービス情報を提供する必要のあるユーザの携帯端末にだけ当該サービス情報の配信を行うことができる。従って、通信エリアでの通信トラフィックが増大して、本来情報を提供したいユーザの携帯端末に対する円滑な情報配信が妨げられてしまうことを防止し、効率的なサービス情報（アンケート情報）の配信が可能となる。
【００５２】
次に、図１に示すシステムにおいて、例えば、図１０に示す手順に従った処理も可能である。この場合、特定のゲームソフトの購入者（ユーザ）のユーザ携帯端末に限ってそのゲームソフトで付加的に利用可能なゲームデータ（例えば、ゲームに登場するキャラクタのデータ）が配信される。
【００５３】
ゲームソフトＡの購入者は、情報配信サービスの依頼元となるゲーム販売会社にユーザ登録を行う。これにより、前記ゲームソフトＡの購入者のユーザ情報、例えば、ユーザの氏名、連絡先、購入ゲーム名、ユーザ携帯端末３０を特定する端末番号（機器ＩＤ）が前記ゲーム販売会社の管理するサービス依頼システム６０に登録される。その後、図１０に示すように、ゲーム販売会社のオペレータの操作に基づいてサービス依頼システム６０から前記ユーザ情報が通信ネットワーク２５を介してユーザ管理サーバ５０に送信される。ユーザ管理サーバ５０は、サービス依頼システム６０から受信したユーザ情報に基づいて、例えば、図１１に示すような購入者（ユーザ）情報を作成してユーザデータベースに登録する。即ち、購入者の使用携帯端末の端末番号に対応付けてユーザ属性情報（氏名、住所、電話番号、メールアドレス、購入ゲームソフト）がユーザ管理サーバ５０のユーザデータベースに登録される。
【００５４】
また、ゲーム販売会社のオペレータの操作に基づいてサービス依頼システム６０から例えば図１２に示すようなサービス依頼情報が通信ネットワーク２５を介してサービスサーバ４０に送信される。図１２に示すサービス依頼情報は、サービス対象者（ゲームソフトＡの購入者）、サービス対象エリア（新宿地域）、サービス期間（2004.M2.D2〜2004.M3.D3）、及びサービス内容となる配信情報（キャラクタＸのゲームデータ）を含む。
【００５５】
このようなサービス依頼情報を受信したサービスサーバ４０は、前述したのと同様の手順（図７参照）に従って、サービス依頼情報の登録処理を行なう。その結果、図１３に示すように、サービス名（キャラクタＸ配信）、キャラクタＸの配信対象者を表す配信対象者属性情報（ゲームソフトＡの購入者）、キャラクタＸの配信エリアを表す配信対象エリア情報（新宿地域に対応した無線ＬＡＮの通信エリアＥss〜Ｅrr）、配信期間（2004.M2.D2〜2004.M3.D3）、及び配信情報（キャラクタＸのゲームデータ）がサービスＩＤ（＝AZY354）にて特定されるサービス依頼情報としてサービスサーバ４０のサービスデータベースに登録される。
【００５６】
前述したようなユーザ情報登録（図１１、図１２参照）及びサービス依頼登録（図１３参照）が既になされた状態において、ユーザ携帯端末３０が無線アクセスポイント装置１０の通信エリアＥに進入すると、図１０（図２に対応）に示すように、無線アクセスポイント装置１０はユーザ携帯端末３０と所定の手順に従った無線通信を行なって、ユーザ携帯端末３０を無線ＬＡＮ網２０に接続させる。そして、無線アクセスポイント装置１０は、通信エリアＥに進入したユーザ携帯端末３０の端末番号（進入者情報）と当該通信エリアＥ（無線アクセスポイント）を特定する通信エリア情報とをサービスサーバ４０に無線ＬＡＮ網２０及びサービスシステムネットワーク２２を介して送信する（進入者通知）。
【００５７】
サービスサーバ４０は、前記通信エリア情報及び端末番号（進入者通知）を受信すると、当該通信エリアを配信対象エリアとしたサービス依頼情報（図１３参照）が登録されているか否かを判定し（エリア内配信情報検索処理）、そのようなサービス依頼情報が登録されている場合、ユーザ管理サーバ５０と通信を行なって進入したユーザ携帯端末３０の端末番号に対応したユーザ情報を取得し、更に、そのユーザ情報に基づいて当該ユーザが配信対象者であるか否かの判定（配信対象者判定処理）を行なう。この一連の処理は、図９に示す手順と同様の手順に従ってなされる。その結果、配信期間中（2004.M2.D2〜2004.M3.D3）において、無線アクセスポイント装置１０から受信した前記通信エリア情報が配信対象エリア情報（新宿地域の通信エリアＥss〜Ｅrrのいずれか）に合致し、かつ、無線アクセスポイント装置１０から受信した端末番号に対応してユーザ管理サーバ５０に登録されたユーザ属性情報（図１１参照）がサービス依頼情報（図１３参照）に含まれる配信対象者属性情報（ゲームソフトＡの購入者）に合致すると、サービスサーバ４０は、サービス依頼情報にて特定される配信情報、即ち、キャラクタＸのゲームデータを前記通信エリアＥに進入したユーザ携帯端末３０に配信する。
【００５８】
このようにして、サービスサーバ４０は、登録サービス依頼情報（図１３参照）に基づいて配信対象エリア情報にて特定される通信エリア（新宿地域）における配信対象者属性情報（ゲームソフトＡの購入者）に合致するユーザ属性情報の登録のなされたユーザ携帯端末３０に対してサービス情報（キャラクタＸのゲームデータ）を配信する。そして、サービスサーバ４０は、そのサービス情報の配信状況（例えば、所定期間内にサービス情報を配信したユーザ端末装置の数等）をサービス依頼システム６０に通信ネットワーク２５を介して送信する。これにより、サービス依頼システム６０を管理するゲーム販売会社では、サービス情報（キャラクタＸのゲームデータ）の配信状況を把握することができるようになる。
【００５９】
前記キャラクタＸのゲームデータを受信したユーザ携帯端末３０では、ゲームソフトＡにおいてキャラクタＸのゲームデータを付加的に利用することができる。その結果、ゲームソフトＡを購入した他のユーザとは異なる、更にキャラクタＸを含めたゲームＡを楽しむことができる。
【００６０】
前記システム（図１参照）における前述したような処理手順（図１０参照）によれば、サービス情報（キャラクタＸのゲームデータ）が、配信対象エリア情報にて特定される通信エリア（新宿地域の通信エリア）に進入した配信対象者属性情報（ゲームソフトＡの購入者）と合致するユーザ属性情報の登録されたユーザ携帯端末に限って配信されるので、前記配信対象エリア情報にて特定される通信エリアにおいて、特定のユーザ（ゲームソフトＡの購入者）にだけ提供したい情報（キャラクタＸのゲーム情報）の配信が可能となる。
【産業上の利用可能性】
【００６１】
本発明に係るローカルサービス提供システムは、特定の通信エリアにおいて、本来情報の提供する必要のないユーザの端末への情報配信を行うことのない、また、特定のユーザにだけ提供したい情報の配信が可能となるという効果を有し、無線ＬＡＮ等のようなローカルネットワークに接続された無線アクセスポイント装置の通信エリアに進入したユーザ端末に対してサービス情報を配信するようにしたローカルサービス提供システムとして有用である。
【図面の簡単な説明】
【００６２】
【図１】本発明の実施の一形態に係るローカルサービス提供システムを示す図
【図２】図１に示すローカルサービス提供システムにおいてなされる処理手順の第一の例を示すシーケンス図
【図３】図２に示す処理手順に従ってユーザ情報登録がなされる際におけるユーザ端末でのユーザ情報入力画面を示す図
【図４】図１に示すシステムにおけるユーザ管理サーバにてなされるユーザ情報登録に係る処理の手順を示すフローチャート
【図５】図２に示す処理手順に従ってユーザ管理サーバに格納される登録ユーザ情報を示す図
【図６】図２に示す処理手順に従ってサービス依頼システムからサービスサーバに提供されるサービス依頼情報を示す図
【図７】図１に示すシステムにおけるサービスサーバにてなされるサービス依頼登録のための処理手順を示すフローチャート
【図８】図２に示す処理手順に従ってサービスサーバにて生成される登録サービス依頼情報を示す図
【図９】サービスサーバにおけるサービス情報の配信処理の手順を示すフローチャート
【図１０】図１に示すローカルサービス提供システムにおいてなされる処理手順の第二の例を示す図
【図１１】図１０に示す処理手順に従ってユーザ管理サーバに格納される登録購入者（ユーザ）情報を示す図
【図１２】図１０に示す処理手順に従ってサービス依頼システムからサービスサーバに提供されるサービス依頼情報を示す図
【図１３】図１０に示す手順に従ってサービスサーバにて生成される登録サービス依頼情報を示す図
【符号の説明】
【００６３】
１０  無線アクセスポイント装置
２０  無線ＬＡＮ網
２２  サービスシステムネットワーク
２５  通信ネットワーク
３０  ユーザ携帯端末
４０  サービスサーバ
５０  ユーザ管理サーバ
６０  サービス依頼システム６０
【図１】
2005258869.tif 000003
【図２】
2005258869.tif 000004
【図３】
2005258869.tif 000005
【図４】
2005258869.tif 000006
【図５】
2005258869.tif 000007
【図６】
2005258869.tif 000008
【図７】
2005258869.tif 000009
【図８】
2005258869.tif 000010
【図９】
2005258869.tif 000011
【図１０】
2005258869.tif 000012
【図１１】
2005258869.tif 000013
【図１２】
2005258869.tif 000014
【図１３】
2005258869.tif 000015